(57)【要約】【課題】海水中の海藻胞子を含む海藻類等を藻場造成に有効に利用して魚の蝟集効果を発揮できる魚礁構造物を提供する。【解決手段】木枠構造体４上に、その周囲を区画する区画周壁１４が設けられていると共に、その区画周壁１４内において複数の丸太３が起立されている。区画周壁１４は、格子状組織を有し、その格子状組織と海藻類等との衝突、その格子状組織による流速低下等に基づき海藻類等を効果的に集め、複数の丸太３は、海水の活発な流れとの衝突、バッフル作用等により、区画周壁１４内に海藻類等２２を集める。その一方、区画周壁１４によりウニ等の底生動物を規制して、海藻類等２２を保護する。【選択図】        図６
2004166591.tif 000002
【特許請求の範囲】
【請求項１】
基盤上に、該基盤上の周囲を区画する区画部材が設けられている魚礁構造物において、
前記区画部材が、格子状組織を形成する区画周壁をもって構成されている、
ことを特徴とする魚礁構造物。
【請求項２】
請求項１において、
前記基盤の上面が、多孔質層をもって形成されている、
ことを特徴とする魚礁構造物。
【請求項３】
請求項１において、
前記基盤の上面が、凹凸状態に形成されている、
ことを特徴とする魚礁構造物。
【請求項４】
請求項１において、
前記区画周壁の上縁部に、該上縁部の全周から外方に向けて拡がる拡張部が設けられている、
ことを特徴とする魚礁構造物。
【請求項５】
請求項２〜４のいずれかにおいて、
前記基盤上に、複数の起立部材が、前記区画周壁よりも上方に延びるようにして起立されている、
ことを特徴とする魚礁構造物。
【請求項６】
請求項１において、
前記基盤上に、複数の起立部材が、前記区画周壁よりも上方に延びるようにして起立されている、
ことを特徴とする魚礁構造物。
【請求項７】
請求項５又は６において、
各起立部材が、前記基盤に上方に延びるようにして固定される柱状部材と、前記区画周壁よりも上方において該柱状部材に該柱状部材を横切るようにして取付けられる横部材とにより構成されている、
ことを特徴とする魚礁構造物。
【請求項８】
請求項５又は６において、
前記各起立部材が、複数の枝材を用いて、前記区画周壁よりも上方において、上方に向かうに従って略水平方向に拡がるように構成されている、
ことを特徴とする魚礁構造物。
【請求項９】
請求項５又は６において、
前記基盤上に、複数の筒体が上方に開口を向けて設けられ、
前記各筒体内に、前記起立部材が挿入された状態で固定されている、
ことを特徴とする魚礁構造物。
【請求項１０】
基盤上に、複数の筒体が上方に開口を向けて設けられ、
前記各筒体内に、起立部材がそれぞれ挿入され、
前記各筒体に、該各筒体及び該各筒体内に挿入される前記起立部材を横方向に貫通する貫通部材が取付けられている、
ことを特徴とする魚礁構造物。
【請求項１１】
請求項１０において、
前記基盤上に、該基盤上の周囲を区画する区画部材が設けられ、
前記区画部材が、格子状組織を形成する区画周壁をもって構成されている、
ことを特徴とする魚礁構造物。
【請求項１２】
請求項１１において、
前記区画周壁の上縁部に、該上縁部の全周から外方に向けて拡がる拡張部が設けられている、
ことを特徴とする魚礁構造物。
【請求項１３】
請求項１〜１２のいずれかにおいて、
前記基盤が、井桁状に組まれた枠内に台座状のコンクリートブロックが収納される構造とされている、
ことを特徴とする魚礁構造物。
【請求項１４】
基盤上に、複数の筒体が上方に開口を向けて設けられ、
前記各筒体に、該各筒体内に挿入される起立部材を横方向に貫通させる貫通部材が着脱可能に取付けられている、
ことを特徴とする魚礁構造部品。
【請求項１５】
請求項１４において、
前記基盤上に、該基盤上の周囲を区画する区画部材が設けられ、
前記区画部材が、格子状組織を形成する区画周壁をもって構成されている、
ことを特徴とする魚礁構造部品。
【請求項１６】
請求項１５において、
前記区画周壁の上縁部に、該上縁部の全周から外方に向けて拡がる拡張部が設けられている、
ことを特徴とする魚礁構造部品。
【請求項１７】
請求項１４〜１６のいずれかにおいて、
前記基盤が、井桁状に組まれた枠内に台座状のコンクリートブロックが収納される構造とされている、
ことを特徴とする魚礁構造部品。
【発明の詳細な説明】
【０００１】
【発明の属する技術分野】
本発明は、藻場を効果的に造成して魚の蝟集効果（集魚効果）を発揮する魚礁構造物、及びその魚礁構造物を製造するために用いる魚礁構造部品に関する。
【０００２】
【従来の技術】
藻場を造成して集魚効果を発揮する魚礁構造物として、基盤上に、該基盤上の周囲を区画する区画部材が設けられたものがある。具体的には、特許文献１に示すように、基盤上に、その周囲において、複数の支柱を立設し、その複数の支柱に対して、海藻胞子或いはその生育体（以下、海藻類等）等を担持したロープを複数段に亘って囲繞するように巻回したものがある。このものによれば、ロープ上で生育した海藻類等によって支柱相互間が密林のようになり、この魚礁構造物の内側空間が魚介類にとって格好の住処となる。
【０００３】
【特許文献１】
特開２００１−２７５５１５号公報
【０００４】
【発明が解決しようとする課題】
しかし、上記魚礁構造物にあっては、海水中の海藻類等（海藻胞子等を含む）の取り込みにおいて、着生（付着）させるべきものが上下に間隔が広くあけられたロープであり、しかも、その間隔を通じて海水が通過し易いことから、ロープに海水中の海藻類等を着生（付着）させにくく、さらには、当該魚礁構造物の内側空間に海藻類等を取り込みにくい。このため、上記魚礁構造物においては、海水中の海藻胞子を含む海藻類等を藻場造成に有効に利用できない状況にあり、それ故に、上記のように、特別にロープに海藻類等が担持されることになっている。
【０００５】
本発明は上記実情に鑑みてなされたもので、その第１の技術的課題は、海水中の海藻胞子を含む海藻類等を藻場造成に有効に利用して魚の蝟集効果（集魚効果）を発揮させるようにした魚礁構造物を提供することにある。
第２の技術的課題は、上記魚礁構造物を製造するために用いる魚礁構造部品を提供することにある。
【０００６】
【課題を解決するための手段】
上記第１の技術的課題を達成するために本発明（請求項１に係る発明）にあっては、
基盤上に、該基盤上の周囲を区画する区画部材が設けられている魚礁構造物において、
前記区画部材が、格子状組織を形成する区画周壁をもって構成されている構成としてある。この請求項１の好ましい態様としては、請求項２〜９、１３の記載の通りとなる。
【０００７】
上記第１の技術的課題を達成するために本発明（請求項１０に係る発明）にあっては、
基板上に、複数の筒体が上方に開口を向けて設けられ、
前記各筒体内に、起立部材がそれぞれ挿入され、
前記各筒体に、該各筒体及び該各筒体内に挿入される前記起立部材を横方向に貫通する貫通部材が取付けられている、
ことを特徴とする魚礁構造物とした構成としてある。この請求項１０の好ましい態様としては、請求項１１〜１３の記載の通りとなる。
【０００８】
上記第２の技術的課題を達成するために本発明（請求項１４に係る発明）にあっては、
基板上に、複数の筒体が上方に開口を向けて設けられ、
前記各筒体に、該各筒体内に挿入される起立部材を横方向に貫通させる貫通部材が着脱可能に取付けられている、
ことを特徴とする魚礁構造部品とした構成としてある。この請求項１４の好ましい態様としては、請求項１５以下の記載の通りとなる。
【０００９】
【発明の効果】
請求項１に係る発明によれば、基盤上の周囲を区画する区画部材が、格子状組織を形成する区画周壁をもって構成されていることから、基盤上の複数の支柱にロープを単に巻回して区画部材を形成する場合に比して、単位面積当たりの衝突部材（格子状組織）が占める割合が増大することになり、海水が区画周壁を通過して該区画周壁の内側空間に流入する際、及び海水が区画周壁の内側空間から外に流出する際に、海水中の海藻類等を格子状組織に衝突させて海藻類等を当該魚礁構造物に着生させる可能性を高めることができることになる。
また、海水が区画周壁の格子状組織を通過するに伴って、該区画周壁の内側空間において、海水の流速が低下することになり、その内側空間に海水中の海藻類等を沈積（或いは滞留）させ易くすることができることになる。その一方、海水が区画周壁の内側空間から外に流出するに際して、海水中の海藻類等が格子状組織と衝突して、区画周壁の内側空間から海藻類等が流出することが抑制されることになる。このため、区画周壁の内側空間における海藻類等の存在割合を、外部に比して高めることができると共に、区画周壁における海藻類等の着生を、その格子状組織に基づき高めることができ、海水中の海藻胞子を含む海藻類等を藻場造成に有効に利用して、魚の蝟集効果を発揮することができることになる。
【００１０】
さらに、区画周壁の格子状組織は、ウニ等の底生動物が区画周壁の内側空間に入ることを規制することになり、区画周壁の内側空間における海藻類等がウニ等の底生動物により食べられることを抑制できることになる。このため、区画周壁の内側空間において、海藻類等の生育環境を保護できることになり、上記集魚効果を長期に亘って維持できることになる。
【００１１】
請求項２に係る発明によれば、基盤の上面が多孔質層をもって形成されていることから、区画周壁内の内側空間において、入り込んできた海水中の海藻類等（主として海藻胞子）を多孔質層に付着させ易くして、その生育を促進させることができることになる。このため、基盤の多孔質層を藻場造成に有効に利用できることになる。
【００１２】
請求項３に係る発明によれば、基盤の上面が凹凸状態に形成されていることから、区画周壁内の内側空間において、入り込んできた海水中の海藻類等（主として海藻胞子）を基盤上面の凹凸に引っ掛けて滞留させ、その生育を促進させることができることになる。このため、基盤上面の凹凸を藻場造成に有効に利用できることになる。
【００１３】
請求項４に係る発明によれば、区画周壁の上縁部に、該上縁部の全周から外方に向けて拡がる拡張部が設けられていることから、区画周壁だけでなく拡張部によっても、ウニ等の底生動物が区画周壁の内側空間内に入り込むことを、一層確実に抑制できることになる。
【００１４】
請求項５に係る発明によれば、基盤上に複数の起立部材が区画周壁よりも上方に延びるようにして起立されていることから、海水中の海藻類等は、区画周壁よりも上方の流れのある領域において、複数の起立部材に高い確率をもって衝突して、該起立部材に海藻類等が着生する可能性を高めることができるだけでなく、その着生して生育したものを離脱させ、或いは衝突した海藻類等を直接的に落下（沈降）させて、格子状組織、流速低下等によって滞留し易い環境下になっている区画壁の内側空間に海藻類等を集めることができることになる。このため、当該魚礁構造物の構造を生かしつつ、その集められた海藻類等をもって藻場を効果的に造成することができることになる。
【００１５】
請求項６に係る発明によれば、基盤上に複数の起立部材が区画周壁よりも上方に延びるようにして起立されていることから、海水中の海藻類等は、区画周壁よりも上方の流れのある領域において、複数の起立部材に高い確率をもって衝突して、該起立部材に海藻類等が着生する可能性を高めることができるだけでなく、その着生して生育したものが離脱したり、或いは衝突した海藻類等が直接的に落下（沈降）して、格子状組織、流速低下等によって滞留し易い環境下になっている区画壁の内側空間に海藻類等を集めることができることになる。このため、その集められた海藻類等をもって藻場を効果的に造成することができることになる。
【００１６】
請求項７に係る発明によれば、起立部材が、基盤に上方に延びるようにして固定される柱状部材と、区画周壁よりも上方において該柱状部材に該柱状部材を横切るようにして取付けられる横部材とにより構成されていることから、海水の流れが活発となる区画周壁よりも上方において、張出し面積を増大させて、海藻類等との衝突可能性を高めることができることになる。このため、起立部材に対する海藻類等の着生、海藻類等の区画周壁の内側空間内への落下（沈降）を促進することができることになる。
【００１７】
請求項８に係る発明によれば、各起立部材が、複数の枝材を用いて、区画周壁よりも上方において、上方に向かうに従って略水平方向に拡がるように構成されていることから、海水の流れが活発となる区画周壁よりも上方において、張出し面積を増大させて、海藻類等との衝突可能性を高めることができることになる。このため、起立部材に対する海藻類等の着生、海藻類等の区画周壁の内側空間内への落下（沈降）を促進することができることになる。
【００１８】
請求項９に係る発明によれば、基盤上に複数の筒体が上方に開口を向けて設けられ、その各筒体内に、起立部材が挿入された状態で固定されていることから、各起立部材を基盤に固定させつつ該基盤に対して起立させることを容易に行うことができることになる。
【００１９】
請求項１０に係る発明によれば、基盤上に、複数の筒体が上方に開口を向けて設けられ、その各筒体内に、起立部材がそれぞれ挿入され、その各筒体に、該各筒体及び該各筒体内に挿入される前記起立部材を横方向に貫通する貫通部材が取付けられていることから、各起立部材を基盤に固定させつつ該基盤に対して起立させることを容易に行うことができ、その各起立部材に海水中の海藻類等を高い確率をもって衝突させて、該起立部材に海藻類等が着生する可能性を高めることができると共に、衝突した海藻類等を直接的に落下（沈降）させて、その海藻類等により藻場を効果的に造成することができることになる。このため、海水中の海藻類等を有効に利用することにより魚の蝟集効果を発揮することができることになる。
しかも、各筒体に挿入される起立部材を適宜、取り換えることができることから、起立部材が丸太等の木材であるために腐食等した場合であっても、上記機能を長期に亘って維持でき、さらには、海水中に木材の栄養分（例えばフルボ酸）を溶出し続けて生態系保全効果を発揮し続けることができることになる。
【００２０】
請求項１１に係る発明によれば、基盤上に、該基盤上の周囲を区画する区画部材が設けられ、その区画部材が、格子状組織を形成する区画周壁をもって構成されていることから、前記請求項１の場合の作用効果同様、区画周壁の内側空間における海藻類等の存在割合を、外部に比して高めることができると共に、区画周壁における海藻類等の着生を、その格子状組織に基づき高めることができ、さらには、区画周壁の内側空間における海藻類等がウニ等の底生動物により食べられることを抑制できることになる。
【００２１】
請求項１２に係る発明によれば、区画周壁の上縁部に、該上縁部の全周から外方に向けて拡がる拡張部が設けられていることから、区画周壁だけでなく拡張部によっても、ウニ等の底生動物が区画周壁の内側空間内に入り込むことを、一層確実に抑制できることになる。
【００２２】
請求項１３に係る発明によれば、基盤が、井桁状に組まれた枠内に台座状のコンクリートブロックが収納される構造とされていることから、基盤を重量物として、当該魚礁構造物を海中に安定した状態で沈設できることは勿論、枠の井桁形状に基づく隙間により、魚等の生息空間を的確に確保できることになる。
【００２３】
請求項１４に係る発明によれば、基盤上に複数の筒体が上方に開口を向けて設けられ、その各筒体に、該各筒体内に挿入される起立部材を横方向に貫通させる貫通部材が着脱可能に取付けられていることから、当該魚礁構造部品を用いることにより、前記請求項１０に係る魚礁構造物を具体的に製造することができることになる。
【００２４】
請求項１５に係る発明によれば、基盤上に、該基盤上の周囲を区画する区画部材が設けられ、その区画部材が、格子状組織を形成する区画周壁をもって構成されていることから、当該魚礁構造部品を用いることにより、前記請求項１１に係る魚礁構造物を具体的に製造することができることになる。
【００２５】
請求項１６に係る発明によれば、区画周壁の上縁部に、該上縁部の全周から外方に向けて拡がる拡張部が設けられていることから、当該魚礁構造部品を用いることにより、前記請求項１２に係る魚礁構造物を具体的に製造することができることになる。
【００２６】
請求項１７に係る発明によれば、基盤が、井桁状に組まれた枠内に台座状のコンクリートブロックが収納される構造とされていることから、当該魚礁構造部品を用いることにより、基盤を重量物として、魚礁構造物を海中に安定した状態で沈設できることは勿論、枠の井桁形状に基づく隙間により、魚等の生息空間を的確に確保できることになる。
【００２７】
【発明の実施の形態】
以下、本発明の実施形態について図面に基づいて説明する。
【００２８】
図１〜図６は第１実施形態を示す。この第１実施形態において、符号１は魚礁構造物で、この魚礁構造物１は、海水中における海藻胞子を含む海藻類等を藻場造成に有効に利用すべく、魚礁構造部品２に起立部材としての複数の丸太３が取り付けられた構造となっている。
【００２９】
上記魚礁構造部品２は、基盤としての木枠構造体４を備えている。この木枠構造体４は、海底へ沈設したときに当該魚礁構造物１の重量安定性を確保することを主目的としたもので、木枠５と、該木枠５内に設けられるコンクリート製台座６とを有している。
【００３０】
上記木枠５は、丸太８を互い違いに組み上げて井桁状に形成されている。この井桁状の木枠５の組立においては、長ボルト（図示略）とナット１５とが用いられており、四隅における各交差部の丸太８に長ボルトを貫通させ、それにナット１５を螺合することにより、その各交差部における丸太８の一体化が図られている。これにより、木枠５は、上方視において四角形状（本実施形態では一辺が１６００ｍｍ前後の正方形）の内部空間を区画すると共に、丸太８の積み上げ段のうち、存在しない個所において、その内部空間と外部とが連通する隙間１０を形成することになっている。
【００３１】
この木枠５内には、コンクリート充填（台座６形成）を可能とすべく、型枠１２が内蔵されている。型枠１２は、可撓性素材を用いて袋状に形成されており、その型枠１２の側面は、木枠５の内面に沿うように収容された状態で、図示を略す留め具により、複数個所において、木枠５を構成する丸太８内面に留められている。この場合、型枠１２の上端が、最上段から二番目の対向する各丸太８の上面までに収まるように設定されている。この型枠１２としては、非分解性シートからなるもの（例えば、不織布、織布等）、分解性シートからなるもの（不織布、織布、生分解性シート等）、板材（好ましくは可撓性板材）等のいずれを用いてもよいが、本実施形態においては、生分解性シートを用いて形成されている。この生分解性シートとしては、具体的にはコーンスターチ、麻、椰子の実繊維、竹、ヨシ、綿、藁等の植物に由来したものが用いられ、該型枠１２は、経時変化に伴い、環境に影響を与えることなく分解して、消失することになっている。
【００３２】
前記台座６は、前記木枠５内における型枠１２内に収納されている。台座６は型枠１２内にコンクリートを充填することにより成形されることになっており、この台座６は木枠５の全内側容積を占め、その台座６の上面及び下面は、本実施形態においては、平坦面を形成している。この場合、少なくとも台座６上部は、ポーラスコンクリートにより形成されて、多孔質層１３とされている（図５参照）。台座６の側面は、木枠５（上下の加工丸太間）の隙間１０が存在する個所において、多少、膨らんでおり、その膨らみ部は、型枠１２と共にその隙間１０に入り込んでいる。このため、台座６の側面と木枠５とが係合し、該木枠５は該台座６から抜けないことになっている。
【００３３】
台座６と木枠５との連結関係に関しては、台座６側面（膨らみ部）と木枠５との係合に加えて、木枠５各側面における隙間１０を利用して、台座６に、木枠５に対する連結部材として、略Ｕ字状の鉄筋を一体化することが好ましい。すなわち、各鉄筋の一端側（開口端側）に抜け止め部（例えば折曲部）を有するようにしてそれを台座６内に埋め込んだ状態とする一方、その他端側を、シャックル等を介して互いに連結するための引っ掛け部として、隙間１０を貫通させて木枠５外に突出させるのが好ましい。この場合、鉄筋は、木枠５内における型枠１２内へのコンクリート充填前にセットされる。
【００３４】
前記魚礁構造部品２は、図１〜図４に示すように、木枠５の上縁部全周に亘って区画周壁１４を備えている。この区画周壁１４は、高さが、藻場としての一定空間を確保する観点から設定されており、本実施形態においては、木枠５の高さの２／３前後に設定されている。この区画周壁１４は格子状組織を有しており、当該魚礁構造物１を海底に沈設したときには、海水は、上方開口からだけでなく、その格子状組織に基づいて区画周壁１４内に流出入できることになっている。具体的には、この区画周壁１４には樹脂ネット（区画周壁だけでなく樹脂ネットにおいても符号１４を用いる）が用いられており、その樹脂ネット１４は、前記木枠５の四隅における前記長ボルト（図示略）にナット１５を介してそれぞれ立設される支柱１６を囲繞するようにして巻回され、その樹脂ネット１４の下端周縁部は、台座６と木枠５（型枠１２）との間に挟時されている。この区画周壁１４における格子状組織の目は、ウニ等の底生動物の区画周壁１４内への進入を食い止めると共に、区画周壁１４内が海藻類等にとって良好な滞留空間となる観点等から決められており、具体的には、１〜３０ｍｍの範囲、好ましくは７ｍｍ程度とされている。
【００３５】
前記区画周壁１４の上縁部全周には、拡張部１７（ウニ返し）が外方に向けて設けられている。この拡張部１７は、本実施形態においては、区画周壁１４に用いられる樹脂ネット１４の延長部分が外方に張り出されており、その拡張部１７は、当該魚礁構造物１を海中に沈設したとき、区画周壁１４外方において、海水の流れに従って漂うようになっている。
【００３６】
前記魚礁構造部品２は、前記台座６上において、図１〜図５に示すように、複数の筒体１８を備えている。この各筒体１８としては、合成樹脂製或いは金属製の有底筒体１８が用いられており、その底部側が台座内に保持され、その開口側が台座の上面よりも上方に突出されることになっている。勿論この筒体１８は、台座６を形成するコンクリートが未硬化のときにそのコンクリート内に埋設されて、その筒体１８が備えるストッパ１８ａと硬化後のコンクリート（台座６）とが係合することにより、筒体１８の抜け止めが図られている。この各筒体１８には、貫通部材としてボルト１９が備えられている。ボルト１９は、台座６上面よりも上方において、筒体１８の側面に対向して形成される孔１６に挿通されることになっており、そのボルト１９の先端部にナット２０を螺合させることにより筒体１８に略水平状態で保持されることになっている。
【００３７】
前記複数の丸太３は、前記魚礁構造部品２に取り付けるに際して、本実施形態においては、前記各筒体１８が利用されている。各丸太３には、前記筒体１８の孔１６に対向するようにして挿通孔２１が形成されており、丸太３を筒体１８に挿入した上で前記ボルト１９をその筒体１８外側から前記のように貫通させることにより、筒体１８に対して丸太３が保持されることになっている。この各丸太３は、台座６上面から起立して、区画周壁１４よりもかなり上方まで延ばされている。この各丸太３は、基本的に、海水中の海藻類等を衝突させてその海藻類等を着生させたり、その衝突に基づき海藻類等（海水中のもの、着生して生育したもの等）を区画周壁１４内に落下（沈降）させる機能、さらには、溶けて海水中に栄養分（例えばフルボ酸）を補給する機能、集魚機能を有している。勿論、効果を高めるために、予め、海藻類等を丸太３に着生しておいてもよい。
【００３８】
このような魚礁構造物１の海水中での作用を図６に基づいて説明する。
区画周壁１４に関しては、基盤上の複数の支柱にロープを単に巻回して区画部材を形成する場合に比して、単位面積当たりの衝突部材（格子状組織）の割合が増大されており、当該魚礁構造物１を海底に沈設した場合には、海水が区画周壁１４を通過して該区画周壁１４の内側空間に流入する際、及び海水が区画周壁１４の内側空間から外に流出する際に、海水中の海藻類等２２が格子状組織に衝突してその海藻類等２２が区画周壁１４に着生する可能性が高まることになる。この場合、格子状組織の目を区画する部材の幅を長くするのが好ましい。海水が格子状組織を通過した際に、通過した側において渦流が生じ、その渦流が海藻類等２２を区画周壁１４に付着させるために好ましく働くからである。
【００３９】
また、海水が区画周壁１４の格子状組織を通過するに伴って、該区画周壁１４の内側空間において、海水の流速が低下することになり、これにより、その内側空間において、海水中の海藻類等２２は沈積（或いは滞留）し易くなる。その一方、海水が区画周壁１４の内側空間から外に流出するに際しては、海水中の海藻類等２２が格子状組織と衝突して、区画周壁１４の内側空間から海藻類等が流出することが抑制されることになる。このため、これら海藻類等２２は、台座６上面の多孔質層１３に効果的に付着されることになり、その生育が促進されることになる。
【００４０】
さらに、海水中の海藻類等は、区画周壁１４よりも上方の流れのある領域において、複数の丸太３に高い確率をもって衝突することになり、これにより、海藻類等２２は、各丸太３に着生したり、その着生して生育したものが離脱したり、或いは直接的に落下（沈降）したりして、前記区画周壁１４の内側空間に集められる。また、区画周壁１４内においては、その区画周壁１４の格子状組織等を通じて流入した海水が、複数の丸太との衝突作用、バッフル作用を受けることになり、それらに基づき、海藻類等２２は区画周壁１４内に滞留されることになる。
【００４１】
その一方、区画周壁１４及び拡張部１７は、ウニ等の底生動物が区画周壁１４の内側空間に入ることを規制することになり、それらにより、区画周壁１４内の海藻類等はウニ等の底生動物から保護されることになる。
【００４２】
このように海藻類等２２が区画周壁１４ないしは区画周壁１４内に集められて生育され、藻場が効果的に造成されることになり、これに基づき、魚の蝟集効果を得ることができることになる。勿論、起立する複数の丸太３の存在だけをもってしても、魚を集めることができ、より効果的な魚礁として機能させることができることになる。
【００４３】
また、本実施形態においては、各筒体１８に着脱可能に丸太３を取付ける構造を採用していることから、丸太３が朽ちた場合等には新たなものと適宜、取り換えることができ、上述の機能を長期に亘って維持できると共に、海水中に木材の栄養分（例えばフルボ酸等）を溶出し続けて生態系を保全することができることになる。
【００４４】
図７は第２実施形態、図８は第３実施形態を示す。この各実施形態において、前記第１実施形態と同一構成要素については同一符号を付してその説明を省略する。
【００４５】
図７に示す第２実施形態においては、区画周壁１４よりも上方において、各丸太３に短尺な丸太（横材）２３が略水平方向に張り出すように取り付けられている。しかも、各丸太３には、上下に一定間隔をあけて複数（本実施形態においては２本）の丸太２３が取り付けられることになっており、それら丸太２３は、海水の流れが変わっても海水をできるだけ大きな面積で受け止めることができるようにするべく、向きを、例えば略９０度程度、ずらして配置されることが望ましい。
【００４６】
このため、海水の流れが活発となる区画周壁１４よりも上方において、その流れの変化をも考慮しつつ、張出し面積を増大させて、海藻類等との衝突可能性を高めることができることになり、丸太３、２３に対する海藻類等の着生、海藻類等の区画周壁１４の内側空間内への落下を促進することができることになる。
【００４７】
図８に示す第３実施形態においては、起立部材として、枝材等からなる間伐材の集束物２４が用いられている。このものにおいては、区画周壁１４よりも上方において、上方に向かうに従って略水平方向に拡がるように構成されており、海水の流れが活発となる区画周壁１４よりも上方において、あらゆる方向の流れを考慮し、張出し面積を増大させて海藻類等との衝突可能性を高めることができることになっている。
【００４８】
これにより、この第３実施形態においては、この間伐材の集束物２４に対する海藻類等の着生、区画周壁１４の内側空間内への海藻類等の落下（沈降）を促進することができ、さらには、魚類にとって有効な隠れ処空間を提供できることになる。
【００４９】
以上実施形態について説明したが本発明にあっては、次のような態様を包含する。
１）区画周壁１４内に起立部材を設けないようにしたもの。
２）海藻胞子を含む海藻類等が引っ掛かりやすくするべく、台座上面を凹凸状態にすること。具体的には、台座上面に孔、溝、突部等を形成するだけでなく、台座上面に石等を置く等の単純なものであってもよい。
３）木枠構造物に代えて、台座だけとするもの。
４）筒体１８を設けず、丸太３等の起立部材を、未硬化状態を捉えて直接、台座６に埋め込むようにしたもの。
５）筒体１８内に丸太３等の起立部材を挿入保持するに際して、接着剤を用いること。
【００５０】
尚、本発明の目的は、明記されたものに限らず、実質的に好ましい或いは利点として記載されたものに対応したものを提供することをも含むものである。
【図面の簡単な説明】
【図１】第１実施形態に係る魚礁構造物を示す斜視図。
【図２】第１実施形態に係る魚礁構造物を示す平面図。
【図３】第１実施形態に係る魚礁構造物を示す正面図。
【図４】第１実施形態に係る魚礁構造物を示す側面図。
【図５】台座に対する丸太の取り付けを説明する説明図。
【図６】第１実施形態に係る魚礁構造物の海水中での作用を説明する図。
【図７】第２実施形態に係る魚礁構造物を示す斜視図。
【図８】第３実施形態に係る魚礁構造物を示す斜視図。
【符号の説明】
１  魚礁構造物
２  魚礁構造部品
３  丸太（起立部材）
４  木枠構造体
５  木枠
６  台座
１３  多孔質層
１４  区画周壁
１７  拡張部
１８  筒体
１９  ボルト
２０  ナット
２３  丸太（起立部材、横材）
２４  集束物
【図１】
2004166591.tif 000003
【図２】
2004166591.tif 000004
【図３】
2004166591.tif 000005
【図４】
2004166591.tif 000006
【図５】
2004166591.tif 000007
【図６】
2004166591.tif 000008
【図７】
2004166591.tif 000009
【図８】
2004166591.tif 000010